(57)【要約】【課題】作業スペースが狭い場所でも設置が容易で、安定性が高く、且つ空間を有効に利用することのできる棚およびこの棚を用いた家屋およびプレハブ家屋並びにプレハブ冷蔵庫を提供する。【解決手段】壁体（パネル体Ｐ１）の水平方向に埋設され、壁体の表面に係合部（Ｋ）が露出される１または２以上の横フレーム（Ｆ）と、該横フレームの係合部に上端部が係合されて垂架される２本以上の支柱（Ｈ１ａ，Ｈ１ｂ）と、該各支柱の表面側の垂直方向に多段に亘って形成された係合溝（１０）の何れかに係合される係合片（Ｍ）を一端側に備えると共に、上面に棚板の載置部（Ｎ）を有する一対の支持アーム（Ｂ１ａ，Ｂ１ｂ）と、該一対の支持アームの載置部の間に横架される棚板（Ｔ１）とから構成されるようにした。【選択図】　図１
2004033537.tif 000002
【特許請求の範囲】
【請求項１】
壁体の水平方向に埋設され、壁体の表面に係合部が露出される１または２以上の横フレームと、
該横フレームの係合部に上端部が係合されて垂架される２本以上の支柱と、
該各支柱の表面側の垂直方向に多段に亘って形成された係合溝の何れかに係合される係合片を一端側に備えると共に、上面に棚板の載置部を有する一対の支持アームと、
該一対の支持アームの載置部の間に横架される棚板と、
から構成されることを特徴とする棚。
【請求項２】
前記横フレームは、断面形状が略コ字状の係合部を有すると共に、該係合部の前端部の上側は所定長さで下方に延びる係止部を備え、
前記支柱の上端側には、
前記横フレームの係合部の係止部と該係合部の後面部との間に嵌合される第１嵌合部と、
前記横フレームの係合部の後面部と下面部とに当接して嵌合される第２嵌合部と、
を備えることを特徴とする請求項１に記載の棚。
【請求項３】
前記横フレームの係合部の係止部の下端部には、断面形状が略円形の滑動部が形成され、
前記支柱の第１嵌合部の前面側には、前記滑動部と係合して、前記第２嵌合部が前記横フレームの係合部の後面部および下面部に嵌合する際の回動を円滑化させる半円形の回動溝が形成されていることを特徴とする請求項２に記載の棚。
【請求項４】
前記横フレームは、断面形状が略コ字状の係合部を有すると共に、該係合部の前端部の上側は所定長さで下方に延びる係止部を備え、
前記支柱の上端部には、
前記横フレームの係合部の係止部と該係合部の後面部との間に嵌合される第１嵌合部と、
前記横フレームの係合部の後面部と下面部とに当接して嵌合される第２嵌合部と、
を備える嵌合部材が係合されていることを特徴とする請求項１に記載の棚。
【請求項５】
前記横フレームの係合部の係止部の下端部には、断面形状が略半円形の滑動部が形成され、
前記嵌合部材の第１嵌合部の前面側には、前記滑動部と係合して、前記第２嵌合部が前記横フレームの係合部の後面部および下面部に嵌合する際の回動を円滑化させる半円形の回動溝が形成されていることを特徴とする請求項４に記載の棚。
【請求項６】
モルタル製の壁体の水平方向に前記横フレームを埋設した家屋において、前記請求項１から請求項５のいずれかに記載の棚を設けたことを特徴とする家屋。
【請求項７】
複数のパネル体を接合して構成されるプレハブ家屋において、前記請求項１から請求項５のいずれかに記載の棚を前記パネル体の内壁側に設けたことを特徴とするプレハブ家屋。
【請求項８】
前記パネル体は、モルタルで構成され、前記横フレームは前記モルタル内に埋設されていることを特徴とする請求項７に記載のプレハブ家屋。
【請求項９】
貯蔵室を形成する断熱壁を複数のパネル体を接合して形成すると共に、該貯蔵室内に冷気を送給する冷却ユニットを少なくとも備えるプレハブ冷蔵庫において、前記請求項１から請求項５のいずれかに記載の棚を前記パネル体の内壁側に設けたことを特徴とするプレハブ冷蔵庫。
【請求項１０】
前記パネル体は、モルタルで構成され、前記横フレームは前記モルタル内に埋設されていることを特徴とする請求項９に記載のプレハブ冷蔵庫。
【請求項１１】
前記パネル体は、２枚の板材の間に芯材を挟持した構造を有し、前記横フレームは前記芯材内に埋設されていることを特徴とする請求項７に記載のプレハブ家屋または請求項９に記載のプレハブ冷蔵庫。
【請求項１２】
前記芯材は、断熱材で構成されていることを特徴とする請求項１１に記載のプレハブ冷蔵庫。
【発明の詳細な説明】
【０００１】
【発明の属する技術分野】
本発明は、一般家屋、プレハブ家屋あるいはプレハブ冷蔵庫の内壁の所望位置に容易に取り付けることができる棚に関する。
【０００２】
【従来の技術】
従来より、ホテルやレストランなど比較的多量の食材等を冷蔵保管する必要がある施設において、組立式のプレハブ冷蔵庫が併設されて利用されることがある。
このプレハブ冷蔵庫は、例えば、図７に示すように、複数枚の断熱パネルＰ１０を相互に接続することにより貯蔵室となる断熱箱体Ｒを組み立て、この断熱箱体Ｒの前面に開口部を形成し、この開口部に開閉自在な断熱扉Ｄを設けて構成されていた。
また、この断熱箱体Ｒは、所定の冷蔵ユニット（図示せず）を外部に設け、その冷蔵ユニットで生成される冷気を断熱箱体Ｒ内に導入して所定の温度に冷却するようになっていた。
【０００３】
ところで、これらのプレハブ冷蔵庫は、組み立てた状態において、食品等を貯蔵するための空間のみが形成され、食品等を種類別に載置したり、壁際の空間を有効に利用するための棚は用意されないことが多い。そのため、プレハブ冷蔵庫の使用者が必要に応じて所望の棚を貯蔵室内に設置するのが一般的であるが、図７にあるように、断熱扉Ｄは開放時の冷気漏れを防ぐように比較的開口部が小さく設計されているので、組上がった状態の棚を搬入することが困難な場合が多い。
そこで、プレハブ冷蔵庫の貯蔵室内に、組立式の棚のセットを分解した状態で持ち込み、室内で棚を組み立てることが多かった。
【０００４】
【発明が解決しようとする課題】
ところが、プレハブ冷蔵庫の貯蔵室は比較的狭い場合が多いため、棚の組立作業のスペースを確保するのが難しい場合があった。特に、数個の棚を設置しようとする場合には、先に組み上がった棚で空間が徐々に狭められ、益々組立作業が困難になるという問題があった。
【０００５】
また、プレハブ冷蔵庫の貯蔵室は十分な照明設備が無い場合が多いため、薄暗い中で、棚のフレーム等の接続作業やビス等の細かな部品を取り付ける作業を行うことは用意ではなかった。
また、貯蔵した食品等の表面に付着した氷等が解けて貯蔵室の床が水浸しになるのを防ぐために、床にスノコ等を敷き詰める場合があるが、その場合には、棚の脚を設置する足場が悪くなり、ガタつき易くなるという難点もあった。
【０００６】
また、従来の組立式の棚を複数設置した場合には、物を載置できないデッドスペースが発生し易いという問題があった。即ち、例えば図８に示すように、支柱１００ａ〜１００ｄおよび棚板２００ａ，ｂを備える棚Ｔ１０，Ｔ２０を壁際に沿って縦横に組み合わせて配置する場合に、棚Ｔ１０の支柱１００ｃ，ｄの側部と、棚Ｔ２０の支柱１００ｂおよび棚板２００ａの側部が干渉し合うため、隙間Ｓを生じてしまう。この隙間Ｓの位置では、細かい物品が落ち易く、また安定性が悪いため、物の載置に適さないデッドスペースとなってしまう。
【０００７】
また、例えば棚Ｔ２０の下段の棚板２００ｂの隅に物品Ａを置いた場合、棚Ｔ１０の支柱１００ｃが邪魔になって、物品Ａの出し入れがし難くなるという問題を生じる。
【０００８】
このように従来の一般的な組立式の棚を設置した場合には、比較的狭い貯蔵室の空間を有効利用できないという難点があった。
【０００９】
一方で、貯蔵室の壁に棚を直接設ける場合もあったが、貯蔵室の内壁を構成する一般的な断熱パネルＰ１０は、耐荷重が比較的低いため、重量の嵩む食品類等を安全に載置できる棚を構成することは難しかった。
また、壁面に棚板を水平に設けることが難しく、短時間で複数段の棚を設けるには相当の熟練を要するという問題もあった。
なお、上述のような棚の設置に関わる問題は、必ずしもプレハブ冷蔵庫に特有のものばかりではなく、比較的設置スペースの狭いプレハブ家屋や一般家屋でも同様に発生し得る問題も多い。
【００１０】
本発明は、上記問題点を解決すべく案出されたものであり、作業スペースが狭い場所でも設置が容易で、安定性が高く、且つ空間を有効に利用することのできる棚およびこの棚を用いた家屋およびプレハブ家屋並びにプレハブ冷蔵庫を提供することを目的とする。
【００１１】
【課題を解決するための手段】
上記目的を達成するために、この発明に係る棚（３００）は、壁体（パネル体Ｐ１）の水平方向に埋設され、壁体の表面に係合部（Ｋ）が露出される１または２以上の横フレーム（Ｆ）と、該横フレームの係合部に上端部が係合されて垂架される２本以上の支柱（Ｈ１ａ，Ｈ１ｂ）と、該各支柱の表面側の垂直方向に多段に亘って形成された係合溝（１０）の何れかに係合される係合片（Ｍ）を一端側に備えると共に、上面に棚板の載置部（Ｎ）を有する一対の支持アーム（Ｂ１ａ，Ｂ１ｂ）と、該一対の支持アームの載置部の間に横架される棚板（Ｔ１）とから構成されるようにした。
これにより、壁体に予め横フレームが埋設されているので、この横フレームに支柱，支持アームおよび棚板を取り付けるだけで容易に棚を完成させることができる。特に、予め横フレームを壁体に精密に水平状態で埋め込んでおくことにより、熟練を要することなく棚板を水平に設けることができる。
【００１２】
また、支柱，支持アームおよび棚板は、横フレームに垂下した状態で支持されるので、従来の組立式の棚のように脚部が不安定となってガタつくことがないという利点がある。
また、横フレームの水平方向の所望位置に支柱を設けることにより、支持アームおよび棚板の配設位置を高い自由度でレイアウトすることができるので、空間を有効に利用することができる。
【００１３】
また、前記横フレームは、断面形状が略コ字状の係合部を有すると共に、該係合部の前端部の上側は所定長さで下方に延びる係止部を備え、前記支柱の上端側には、前記横フレームの係合部の係止部と該係合部の後面部との間に嵌合される第１嵌合部と、前記横フレームの係合部の後面部と下面部とに当接して嵌合される第１嵌合部とを備えるようにできる。これにより、支柱の上端部の第１嵌合部と第２嵌合部を前記横フレームの係合部に嵌合させるだけで固定することができ、短時間で確実に棚を設置することができる。
【００１４】
また、前記横フレームの係合部の係止部の下端部には、断面形状が略円形の滑動部が形成され、前記支柱の第１嵌合部の前面側には、前記滑動部と係合して、前記第２嵌合部が前記横フレームの係合部の後面部および下面部に嵌合する際の回動を円滑化させる半円形の回動溝が形成されるようにできる。これにより、支柱の上端部の第１嵌合部と第２嵌合部を前記横フレームの係合部に嵌合させる際の負荷が軽減され、より短時間で容易に棚を設置することができる。
【００１５】
また、前記横フレームは、断面形状が略コ字状の係合部を有すると共に、該係合部の前端部の上側は所定長さで下方に延びる係止部を備え、前記支柱の上端部には、前記横フレームの係合部の係止部と該係合部の後面部との間に嵌合される第１嵌合部と、前記横フレームの係合部の後面部と下面部とに当接して嵌合される第２嵌合部とを備える嵌合部材が係合されるようにしてもよい。これにより、各支柱の先端に嵌合部材を取り付け、嵌合部材の第１嵌合部と第２嵌合部を前記横フレームの係合部に嵌合させるだけで固定することができ、短時間で確実に棚を設置することができる。
【００１６】
また、前記横フレームの係合部の係止部の下端部には、断面形状が略半円形の滑動部が形成され、前記嵌合部材の第１嵌合部の前面側には、前記滑動部と係合して、前記第２嵌合部が前記横フレームの係合部の後面部および下面部に嵌合する際の回動を円滑化させる半円形の回動溝が形成されようにしてもよい。これにより、前記嵌合部材の第１嵌合部と第２嵌合部を前記横フレームの係合部に嵌合させる際の負荷が軽減され、より短時間で容易に棚を設置することができる。
【００１７】
また、モルタル製の壁体の水平方向に前記横フレームを埋設した家屋において、前記棚を設けるようにできる。これにより、一般家屋の内壁において、必要に応じて所望の棚を容易に設置することができる。
【００１８】
また、複数のパネル体を接合して構成されるプレハブ家屋において、前記の棚を前記パネル体の内壁側に設けたり、あるいは、貯蔵室を形成する断熱壁を複数のパネル体を接合して形成すると共に、該貯蔵室内に冷気を送給する冷却ユニットを少なくとも備えるプレハブ冷蔵庫において、前記棚を前記パネル体の内壁側に設けるようにできる。これにより、作業スペースが比較的狭いプレハブ家屋やプレハブ冷蔵庫内にも安定性に優れ、空間を有効に利用することのできる棚を容易に設けることができる。
【００１９】
また、前記パネル体は、モルタルで構成され、前記横フレームは前記モルタル内に埋設するようにできる。これにより、一般家屋等の内壁に本発明に係る棚を適用することができる。
また、前記パネル体は、２枚の板材の間に芯材を挟持した構成を有し、前記横フレームは前記芯材内に埋設されるようにできる。これにより、この横フレームを埋設したパネル体で構成したプレハブ家屋の内壁に本発明に係る棚を適用することができる。
【００２０】
また、前記芯材は、断熱材で構成されるようにできる。これにより、この横フレームを埋設した断熱材を芯材とするパネル体で構成したプレハブ冷蔵庫の内壁に本発明に係る棚を適用することができる。
【００２１】
【発明の実施の形態】
以下、本発明の実施形態について図面を用いて説明する。
図１は本実施形態に係る棚の組み上がり状態を示す斜視図、図２はその正面図、図３は支柱の先端の構成を示す斜視図、図４は本実施形態に係る棚の支柱の先端の取り付け状態を示す説明図、図５は本実施形態に係る棚の支柱を嵌合させた状態を示す側面図、図６は支持アームの取り付け状態を示す斜視図である。
【００２２】
図１に示すように、本実施形態に係る棚１００は、壁を構成するパネル体Ｐ１の水平方向に埋設され、壁の表面に係合部Ｋが露出される横フレームＦと、
この横フレームＦの係合部Ｋに上端部が係合されて垂架される４本の支柱Ｈ１ａ〜Ｈ１ｄと、各支柱Ｈ１ａ〜Ｈ１ｄの表面側の垂直方向に多段に亘って形成された係合溝１０の何れかに係合される係合片Ｍ（図６を参照）を一端側に備えると共に、上面に棚板の載置部Ｎ（図６を参照）を有する支持アームＢ１ａ〜Ｂ１ｆと、各支持アームの載置部の間（Ｂ１ａとＢ１ｂの間，Ｂ１ｃとＢ１ｄの間およびＢ１ｅとＢ１ｆの間）に横架される棚板Ｔ１〜Ｔ３とから構成されている。
【００２３】
ここで、横フレームＦは、例えばステンレス鋼板等の折り曲げ加工により、図３や図４に示すように、断面形状が略コ字状の係合部Ｋと、この係合部Ｋの前端部の上側で所定長さ（例えば、３０ｍｍ程度）で下方に延びる係止部ｆ２が形成されたレール状に構成される。
【００２４】
また、横フレームＦがパネル体Ｐ１内に埋設させた際の固定性を高めるために係合部Ｋの後面部ｆ１の裏側に、フィン状の固定部ｆ４を設けてある。なお、この固定部ｆ４は必須ではなく、横フレームＦ本体をパネル体Ｐ１内に埋設させた際に十分な固定強度が得られるのであれば、この固定部ｆ４を省略することもできる。
また、横フレームＦの係合部Ｋの係止部ｆ２の下端部には、断面形状が略半円形の滑動部ｆ２ａが形成されている（図５（Ａ）参照）。なお、滑動部ｆ２ａは必須ではなく、省略することも可能である。
【００２５】
パネル体Ｐ１は、例えば木材板，樹脂板，金属板等で構成される２枚のパネル材Ｐ１ｂ，Ｐ１ｃの間に、横フレームＦおよび芯材としての発泡性の断熱材Ｐ１ａが挟持されて構成される。
より具体的には、パネル体Ｐ１の表面を構成するパネル材Ｐ１ｂの上方の所定位置に、横フレームＦを水平に嵌合させる開口部（図には現れない）が予め形成され、その開口部に横フレームＦを嵌合させた状態で、裏面を構成するパネル材Ｐ１ｃと所定の距離で水平に対向させ、パネル材Ｐ１ｂとＰ１ｃとの間に発泡性の断熱材Ｐ１ａを注入、固化させて作成される。
これにより、横フレームＦは、この断熱材Ｐ１ａ内に埋設された状態となり、所定の荷重に耐えうるように強固に固定される。
【００２６】
このような構成のパネル体Ｐ１が複数枚に亘って横方向あるいは縦方向に接続することにより、プレハブ冷蔵庫の貯蔵室やプレハブ家屋の内壁（あるいは外壁）を構成することができる。
【００２７】
なお、図１，図２に示す例では、パネル体Ｐ１に横フレームＦを１本のみ設けているが、これに限らず、高さを変えて複数本の横フレームＦを設けるようにしてもよい。この場合には、棚の高さを変更することが可能となる。
【００２８】
次に、図３（Ａ），（Ｂ）を参照して、支柱Ｈ１ａ（Ｈ１ｂ〜Ｈ１ｄ）の先端部の構成について説明する。
まず、支柱Ｈ１ａ（Ｈ１ｂ〜Ｈ１ｄ）は、例えば、スチール材の切断加工、打ち抜き加工および折り曲げ加工等で作成され、表側の垂直方向に複数のスリット状の係合溝１０が形成され、選択された係合溝１０に支持アームＢ１ａ〜Ｂ１ｆの係合部Ｍが係合されるようになっている（図６参照）。
【００２９】
図３（Ａ）は、支柱Ｈ１ａ（Ｈ１ｂ〜Ｈ１ｄも同様）の上端部自体に、前記横フレームＦの係合部Ｋの係止部ｆ２と該係合部Ｋの後面部ｆ１との間に嵌合される第１嵌合部４０と、横フレームＦの係合部Ｋの後面部ｆ１と下面部ｆ５とに当接して嵌合される第２嵌合部４１とが一体的に形成される例を示している。
第１嵌合部４０の前面側には、前記横フレームＦの滑動部ｆ２ａと係合して、第２嵌合部４１が横フレームＦの係合部Ｋの後面部ｆ１および下面部ｆ５に嵌合する際の回動を円滑化させる半円形の回動溝４２が形成されている。
【００３０】
一方、図３（Ｂ）は、支柱Ｈ１’ａ（Ｈ１’ｂ〜Ｈ１’ｄも同様）の上端部に、前記横フレームＦの係合部Ｋの係止部ｆ２と該係合部Ｋの後面部ｆ１との間に嵌合される第１嵌合部５０と、横フレームＦの係合部Ｋの後面部ｆ１と下面部ｆ５とに当接して嵌合される第２嵌合部５１とが形成された樹脂製の嵌合部材５０を装着する例を示している。
第１嵌合部５０の前面側には、前記横フレームＦの滑動部ｆ２ａと係合して、第２嵌合部５１が横フレームＦの係合部Ｋの後面部ｆ１および下面部ｆ５に嵌合する際の回動を円滑化させる半円形の回動溝５２が形成されている。
【００３１】
次に、図４〜図６を参照して、棚の組立方法を説明する。
なお、ここでは、図３（Ａ）に示した先端部に第１嵌合部４０および第２嵌合部４１が形成された支柱Ｈ１ａを用いる場合について述べるが、図３（Ｂ）に示すような支柱Ｈ１’ａの先端に嵌合部材５０を装着した場合も横フレームＦへの取付方法は同様である。
【００３２】
まず、図４（Ａ）に示すように、支柱Ｈ１ａの先端の第１嵌合部４０を横フレームＦの嵌合部Ｋの係止部ｆ２と後面部ｆ１との間に斜めに嵌入させ、支柱Ｈ１ａの回動溝４２を係止部ｆ２の下端の滑動部ｆ２ａと当接させる。
【００３３】
次いで、支柱Ｈ１ａの下方側を持って、パネル体Ｐ１側へ押し込むようにする。これにより、支柱Ｈ１ａの回動溝４２と係止部ｆ２の滑動部ｆ２ａとの当接箇所を支点としたテコの原理により、支柱Ｈ１ａの先端部の第２嵌合部４１が、後面部ｆ１と下面部ｆ５との間に嵌合されて、図４（Ｂ）および図５に示す状態で固定される。
なお、図４（Ｂ）に示すように、支柱Ｈ１ａの表側に穿設されたビス穴を介してビス３０をねじ込んで支柱Ｈ１ａの固定を補強するようにしてもよい。
【００３４】
そして、図６に示すように、他の支柱Ｈ１ｂ〜Ｈ１ｄについても、所定間隔を空けて同様に横フレームＦへの取り付けを行う。
次に、支持アームＢ１ａ〜Ｂ１を所望の支柱Ｈ１ａ〜Ｈ１ｄの所望の係合溝１０を選択して係合させる。
【００３５】
図６に示す例では、支持アームＢ１ａ，Ｂ１ｂを支柱Ｈ１ａおよびＨ１ｄの上段付近の係合溝１０に、支持アームＢ１ｃ，Ｂ１ｄを支柱Ｈ１ｃおよびＨ１ｄの中段付近の係合溝１０に、支持アームＢ１ｅ，Ｂ１ｆを支柱Ｈ１ｂおよびＨ１ｄの下段付近の係合溝１０にそれぞれ係合させる場合を示している。
なお、棚板をそれぞれ載置する対向位置にある支持アームＢ１ａとＢ１ｂ、Ｂ１ｃとＢ１ｄ、Ｂ１ｅとＢ１ｆは、それぞれ同じ高さとなるように係合溝１０を選択することはいうまでもない。
【００３６】
そして、支持アームＢ１ａとＢ１ｂ、Ｂ１ｃとＢ１ｄ、Ｂ１ｅとＢ１ｆに棚板Ｔ１〜Ｔ３をそれぞれ載置して、図１に示すような棚３００が完成される。なお、棚板Ｔ１〜Ｔ３は、支持アームＢ１ａとＢ１ｂ、Ｂ１ｃとＢ１ｄ、Ｂ１ｅとＢ１ｆのそれぞれの間隔に合わせた横幅の棚板として用意される。
また、述べるまでもないが、支持アームＢ１ａ〜Ｂ１ｆを設ける高さおよび、係合させる支柱Ｈ１ａ〜Ｈ１ｄは任意に選択することが可能であり、用いる支持アームの個数により設ける棚数も自由に変更することができる。
【００３７】
このように本実施形態に係る棚３００は、壁体としてのパネル体Ｐ１に予め横フレームＦが埋設されているので、この横フレームＦに支柱Ｈ１ａ〜Ｈ１ｄ，支持アームＢ１ａ〜Ｂ１ｆおよび棚板Ｔ１〜Ｔ３を取り付けるだけで容易に組み立てることができる。特に、予め横フレームＦをパネル体Ｐ１に精密に水平状態で埋め込んでおくことにより、熟練を要することなく棚板Ｔ１〜Ｔ３を水平に設けることができる。
【００３８】
また、支柱Ｈ１ａ〜Ｈ１ｄ，支持アームＢ１ａ〜Ｂ１ｆおよび棚板Ｔ１〜Ｔ３は、横フレームＦに垂下された状態で支持されるので、従来の組立式の棚のように脚部が不安定となってガタつくことがないという利点がある。
また、横フレームＦの水平方向の所望位置に支柱Ｈ１ａ〜Ｈ１ｄを設けることにより、支持アームＢ１ａ〜Ｂ１ｆおよび棚板Ｔ１〜Ｔ３の配設位置を高い自由度でレイアウトすることができるので、空間を有効に利用することができる。
【００３９】
そして、本実施形態に係る棚は、複数のパネル体を接合して構成されるプレハブ家屋や、貯蔵室を形成する断熱壁を複数のパネル体を接合して形成すると共に、該貯蔵室内に冷気を送給する冷却ユニットを少なくとも備えるプレハブ冷蔵庫の内壁側に設けることができる。これにより、作業スペースが比較的狭いプレハブ家屋やプレハブ冷蔵庫内にも安定性に優れ、空間を有効に利用することのできる棚を容易に設けることが可能となる。
【００４０】
以上本発明者によってなされた発明を実施形態に基づき具体的に説明したが、本発明は上記実施形態に限定されるものではなく、その要旨を逸脱しない範囲で変更可能である。
例えば、上記実施形態では、パネル体Ｐ１に横フレームＦを埋め込んだ場合について説明したが、これに限らず、壁体をモルタルで構成し、横フレームＦをこのモルタル内に埋設するようにしてもよい。これにより、一般家屋等の内壁に本実施形態に係る棚を適用することができる。
【００４１】
【発明の効果】
以上説明したように本発明は、壁体の水平方向に埋設され、壁体の表面に係合部が露出される１または２以上の横フレームと、該横フレームの係合部に上端部が係合されて垂架される２本以上の支柱と、該各支柱の表面側の垂直方向に多段に亘って形成された係合溝の何れかに係合される係合片を一端側に備えると共に、上面に棚板の載置部を有する一対の支持アームと、該各支持アームの載置部の間に横架される棚板とから構成されるようにしたので、壁体に予め横フレームが埋設されており、この横フレームに支柱，支持アームおよび棚板を取り付けるだけで容易に棚を完成させることができるという効果がある。特に、予め横フレームを壁体に精密に水平状態で埋め込んでおくことにより、熟練を要することなく棚板を水平に設けることができる。
【００４２】
また、支柱，支持アームおよび棚板は、横フレームに垂下した状態で支持されるので、従来の組立式の棚のように脚部が不安定となってガタつくことがないという利点がある。
また、横フレームの水平方向の所望位置に支柱を設けることにより、支持アームおよび棚板の配設位置を高い自由度でレイアウトすることができるので、空間を有効に利用することができるという効果がある。
【図面の簡単な説明】
【図１】本発明の一実施形態に係る棚の組み上がり状態を示す斜視図である。
【図２】図１の実施形態に係る棚の組み上がり状態を示す正面図である。
【図３】図１の実施形態に係る棚の支柱の先端の構成を示す斜視図である。
【図４】図１の実施形態に係る棚の支柱の先端の取り付け状態を示す説明図である。
【図５】図１の実施形態に係る棚の支柱を嵌合させた状態を示す側面図である。
【図６】図１の実施形態に係る棚の支持アームの取り付け状態を示す斜視図である。
【図７】図１の実施形態に係る棚を利用したプレハブ冷蔵庫の外観を示す斜視図である。
【図８】従来の組立式の棚の設置状態を示す斜視図である。
【符号の説明】
３００　棚
Ｐ１　パネル体
Ｐ１ａ　芯材
Ｐ１ｂ，Ｐ１ｃ　パネル材
Ｆ　　横フレーム
Ｋ　　係合部
ｆ１　後面部
ｆ２　係止部
ｆ２ａ　滑動部
ｆ５　下面部
Ｈ１ａ〜Ｈ１ｄ　支柱
１０　係合溝
Ｂ１ａ〜Ｂ１ｆ　支持アーム
Ｔ１〜Ｔ３　棚板
４０　第１嵌合部
４１　第２嵌合部
４２　回動溝
５０　嵌合部材
５１　第１嵌合部
５２　第２嵌合部
５３　回動溝
【図１】
2004033537.tif 000003
【図２】
2004033537.tif 000004
【図３】
2004033537.tif 000005
【図４】
2004033537.tif 000006
【図５】
2004033537.tif 000007
【図６】
2004033537.tif 000008
【図７】
2004033537.tif 000009
【図８】
2004033537.tif 000010